(57)【特許請求の範囲】
【請求項１】
第１の部材と、
該第１の部材と所定の間隙を有して設けられると共に、エンドピンを固定可能な第２の部材と、
前記第１の部材及び前記第２の部材に接すると共に、前記第１の部材と前記第２の部材との間隙の一部分に配置された第３の部材と、
前記第１の部材の前記第３の部材とは逆側に設けられた弾性を有する第１の底部部材と、
前記第２の部材に前記第１の部材と同第２の部材との距離よりも大きな高さを有して接続された荷重支持部と、
該荷重支持部に設けられた弾性を有する第２の底部部材とを備える
楽器支持具。
【請求項２】
前記第１の部材及び前記第２の部材に接すると共に、前記第３の部材同士の間に位置して、前記第１の部材と前記第２の部材との間隙を移動可能な内部材を備える
請求項１に記載の楽器支持具。
【請求項３】
前記第２の部材の前記荷重支持部との接続位置の角度が可変可能である
請求項１または請求項２に記載の楽器支持具。
【請求項４】
前記第１の部材と略平行かつ略同じ長さを有すると共に、前記第１の部材、前記第２の部材及び前記第３の部材と接続された側板部材とを備える
請求項１または請求項２に記載の楽器支持具。
【請求項５】
前記第２の部材は、エンドピンが嵌合可能な凹部を有する
請求項１または請求項２に記載の楽器支持具。
【請求項６】
前記第１の部材、前記第２の部材及び前記荷重支持部は、柱状に形成された
請求項１または請求項２に記載の楽器支持具。
【請求項７】
第１の部材と、
該第１の部材と所定の間隙を有して設けられると共に、音源体を載置可能な第２の部材と、
前記第１の部材及び前記第２の部材に接すると共に、前記第１の部材と前記第２の部材との間隙の一部分に配置された第３の部材と、
前記第１の部材及び前記第２の部材に接すると共に、前記第３の部材同士の間に位置して、前記第１の部材と前記第２の部材との間隙を移動可能な内部材と、
前記第１の部材の前記第３の部材とは逆側に設けられた弾性を有する底部部材とを備える
音源体支持具。
【発明の詳細な説明】
【技術分野】
【０００１】
本発明は、楽器支持具及び音源体支持具に関する。詳しくは、楽器や音源体をしっかりと固定しながらも、床面からの影響を受けにくく、楽器自身が発生する音の響きを充分に発揮できる楽器支持具及び音源体支持具に係るものである。
【背景技術】
【０００２】
チェロやコントラバスなどの大型の楽器の底部には、エンドピンと呼ばれる床に立てて楽器を支える棒状の部品が存在する。エンドピンは先端を床に突き立てて、楽器を支持すると共に、楽器から生まれる音の振動を床に伝えるものとされている。【０００３】
また、エンドピンは床に突き立てるという特性上、先端が尖った形状のものが多く存在する。特にチェロのエンドピンでは先端の尖った部分を床に突き刺して使用することもあり、床面が傷ついてしまうことがある。【０００４】
このエンドピンによる床面の傷つきを防止するため、エンドピンの先端に取付けるゴム製のキャップや、専用のストッパーが用いられている。また、キャップやストッパーはエンドピンの先端を覆うだけでなく、楽器を床面に固定する滑り止めとしても使用されている。【０００５】
しかしながら、ゴム製のキャップや専用のストッパーを用いた場合には、楽器による音の振動は、エンドピンを介して直接キャップやストッパーに吸収されることになり、音の響きが著しく減少してしまう。【０００６】
また、ゴム製のキャップや専用のストッパーはエンドピンの先端に取付ける程度の小さなものであることから、固定力が弱く、楽器を充分に支持することができないものとなっている。【０００７】
こうしたなか、エンドピンを構成要素とする楽器の音の振動が減殺されることなく、床材に効果的に伝達させることができる楽器支持具が存在し、例えば、特許文献１に記載の楽器支持具が提案されている。【０００８】
ここで、特許文献１には、図１２（ａ）及び図１２（ｂ）に示すような楽器支持具１００が記載されている。楽器支持具１００は、略円盤状の本体１０１を有している。また、本体１０１は、チェロ等のエンドピン１０２の先端が当接する受け部材１０３と、その下方に配置された床面に圧接する圧接ピン１０４を有するものとなっている。【０００９】
また、受け部材１０３と、圧接ピン１０４の間には、圧接ピン１０４を下方側に付勢するスプリングコイル１０５が設けられている。エンドピン１０２の先端が受け部材１０３に突き当てられると、チェロの音は、受け部材１０３、スプリングコイル１０５及び圧接ピン１０４を介して、減殺されることなく床面に伝達されるものとなっている。
【先行技術文献】
【特許文献】
【００１０】
【特許文献１】特開２００７―１３９８７６号公報
【発明の概要】
【発明が解決しようとする課題】
【００１１】
しかしながら、特許文献１に記載された楽器支持具は、エンドピンが当接する受け部材の周囲が本体に囲まれた形状となっており、楽器の音の響きが本体に吸収され、響きを損なってしまうおそれがある。【００１２】
また、楽器支持具の本体の形状が略円盤状であることから、楽器を支持した際にかかる荷重の力をしっかりと受け止めることができず、充分に楽器を固定できないという不都合も存在する。【００１３】
また、特許文献１に記載された楽器支持具をはじめ従来のエンドピンは、設置した床面に音を伝えて、床面を介して音の振動を広げることを目的としている。即ち、床面の素材が振動することで、床面に楽器自身の音の響きを伝えようとするものである。【００１４】
しかし、床面の素材の振動は周囲の環境に影響されやすく、音の響きが伝達されにくい状況となることがある。例えば、エンドピンを突き立てた床面の上に複数の演奏者が存在する場合には、床面に対し、その分の重量がかかることになる。この結果、床面は振動しにくくなり、エンドピンや支持具を介しても音の響きを伝えることができなくなってしまう。【００１５】
つまり、床面に音の響きを広げるための道具でありながら、その対象となる床面で音の響きが広がることはなく、楽器本来の音を感じることができないものとなっている。言い換えれば、楽器の音の響きを最大限発揮するためには、楽器が床面からの影響を極力受けにくい状況が必要となるが、これを実現できるようなエンドピンまたはエンドピン支持具は未だ存在していない。【００１６】
本発明は、以上の点に鑑みて創案されたものであり、楽器や音源体をしっかりと固定しながらも、床面からの影響を受けにくく、楽器自身が発生する音の響きを充分に発揮できる楽器支持具及び音源体支持具を提供することを目的とする。
【課題を解決するための手段】
【００１７】
上記の目的を達成するために、本発明の楽器支持具は、第１の部材と、該第１の部材と所定の間隙を有して設けられると共に、エンドピンを固定可能な第２の部材と、前記第１の部材及び前記第２の部材に接すると共に、前記第１の部材と前記第２の部材との間隙の一部分に配置された第３の部材と、前記第１の部材の前記第３の部材とは逆側に設けられた弾性を有する第１の底部部材と、前記第２の部材に接続された荷重支持部と、該荷重支持部に設けられた弾性を有する第２の底部部材とを備える。【００１８】
ここで、第２の部材が第１の部材と所定の間隙を有して設けられたことによって、楽器の音の響きが損なわれにくくすることができる。即ち、第１の部材と第２の部材の間に空間が形成されることになり、部材による音の吸収を減らすことができる。【００１９】
また、エンドピンを固定可能な第２の部材によって、楽器のエンドピンを固定することができる。【００２０】
また、第３の部材が、第１の部材及び第２の部材に接すると共に、第１の部材と第２の部材との間隙の一部分に配置されたことによって、第１の部材と第２の部材の間に空間を形成したまま、第２の部材を支えることができる。【００２１】
また、第１の底部部材が、第１の部材の第３の部材とは逆側に設けられたことによって、楽器の音の響きが損なわれにくくすることができる。即ち、第１の部材と床面との間に空間が形成されることになり、第１の部材と床面による音の吸収を減らすことができる。【００２２】
また、第１の底部部材が、第１の部材の第３の部材とは逆側に設けられたことによって、第１の部材が楽器の音に共鳴して振動することが可能となり、音の響きを広げることができる。【００２３】
また、第１の底部部材が弾性を有することによって、楽器支持具を床面に固定することができる。即ち、荷重がかかった状態の楽器支持具の床面を滑ろうとする力を第１の底部部材で吸収することができる。【００２４】
また、第１の底部部材が弾性を有することによって、床面側から楽器支持具に伝わる不要な振動を吸収することができる。【００２５】
また、第２の部材に接続された荷重支持部によって、楽器支持具を演奏者が座る椅子の足に引っ掛けて固定することができる。即ち、荷重支持部を椅子の足と当接させ、椅子の前方に第の部材が位置することで、演奏者自身と椅子の重さによって、楽器支持具が床面の前方に滑ろうとする動きを抑えることになる。【００２６】
また、第２の底部部材が、荷重支持部に設けられたことによって、楽器の音の響きが損なわれにくくすることができる。即ち、荷重支持部と床面との間に空間が形成されることになり、荷重支持部と床面による音の吸収を減らすことができる。【００２７】
また、第２の底部部材が、弾性を有することによって、楽器支持具を床面に固定することができる。即ち、荷重がかかった状態の楽器支持具が床面を滑ろうとする力を第２の底部部材で吸収することができる。【００２８】
また、第２の底部部材が弾性を有することによって、床面側から楽器支持具に伝わる不要な振動を吸収することができる。【００２９】
また、第１の部材の第３の部材とは逆側に設けられた第１の底部部材と、荷重支持部に設けられた第２の底部部材によって、第１の部材と床面との間に空間を形成することができる。即ち、第１の部材の床面との設置面積を極力少なくして、響きにくい床面側からの影響を減らし、楽器本来の音の響きを発揮しやすくすることができる。【００３０】
また、第１の部材及び第２の部材に接する内部材を備える場合には、内部材によって第２の部材を支えることになり、第２の部材の過剰なしなりを抑えることができる。即ち、エンドピンから音の振動を受けた第２の部材の過剰なしなりを減らし、演奏のしやすさを向上させることができる。【００３１】
また、第１の部材及び第２の部材に接すると共に、第１の部材と第２の部材との間隙を移動可能な内部材を備える場合には、第１の部材と第２の部材の間に形成された空間の体積を変化させることができる。即ち、音の響き方を変化させることができ、演奏者の好みに合わせた響きに調節することが可能となる。【００３２】
また、第２の部材の荷重支持部との接続位置の角度が可変可能である場合には、第２の部材の向きを自由に変えることができ、第２の部材のエンドピンの固定位置を演奏者の好みに合わせた位置に調節することが可能となる。【００３３】
また、第１の部材と略平行かつ略同じ長さを有すると共に、第１の部材、第２の部材及び第３の部材と接続された側板部材を備える場合には、第１の部材と第２の部材の間に形成された空間を側板部材で覆うことができる。これにより、側板部材が楽器の音に共鳴して振動することが可能となり、音の響きを一層広げることができる。【００３４】
また、第２の部材が、エンドピンが嵌合可能な凹部を有する場合には、エンドピンを凹部でも固定することとなり、より一層楽器を固定することが可能となる。【００３５】
また、第１の部材、第２の部材及び荷重支持部が柱状に形成された場合には、楽器支持具の構造を安定なものにすることができる。なお、ここでいう柱状とは、円柱及び角柱のいずれも含む形状を意味している。【００３６】
また、上記の目的を達成するために、本発明の音源体支持具は、第１の部材と、該第１の部材と所定の間隙を有して設けられると共に、音源体を載置可能な第２の部材と、前記第１の部材及び前記第２の部材に接すると共に、前記第１の部材と前記第２の部材との間隙の一部分に配置された第３の部材と、前記第１の部材及び前記第２の部材に接すると共に、前記第１の部材と前記第２の部材との間隙を移動可能な内部材と、前記第１の部材の前記第３の部材とは逆側に設けられた弾性を有する底部部材とを備える。【００３７】
ここで、第２の部材が第１の部材と所定の間隙を有して設けられることによって、音源体の音の響きが損なわれにくくすることができる。即ち、第１の部材と第２の部材の間に空間が形成されることになり、部材による音の吸収を減らすことができる。【００３８】
また、音源体を載置可能な第２の部材によって、第２の部材に音源体を載置することができる。なお、ここでいう音源体とは、スピーカー等の音響機器だけでなく、楽器等の音を発生する器具を含めた物体を意味している。【００３９】
また、第３の部材が、第１の部材及び第２の部材に接すると共に、第１の部材と第２の部材との間隙の一部分に配置されたことによって、第１の部材と第２の部材の間に空間を形成したまま、第２の部材を支えることができる。【００４０】
また、内部材が第１の部材及び第２の部材に接することによって、内部材が第２の部材を支えることになり、第２の部材の過剰なしなりを減少させることができる。即ち、第２の部材の音の振動による過剰なしなりを減らし、第２の部材から音源体側へ伝わる振動を減らすことができ、振動に起因する雑音の発生が生じにくくさせることが可能となる。【００４１】
また、内部材が、第１の部材及び第２の部材に接すると共に、第１の部材と第２の部材との間隙を移動可能であることによって、第１の部材と第２の部材の間に形成された空間の体積を変化させることができる。即ち、音の響き方を変化させることができ、使用者の好みに合わせた響きに調節することが可能となる。【００４２】
また、底部部材が、第１の部材の第３の部材とは逆側に設けられたことによって、楽器の音の響きが損なわれにくくすることができる。即ち、第１の部材と床面との間に空間が形成されることになり、第１の部材と床面による音の吸収を減らすことができる。【００４３】
また、底部部材が、第１の部材の第３の部材とは逆側に設けられたことによって、第１の部材が楽器の音に共鳴して振動することが可能となり、音の響きを広げることができる。【００４４】
また、底部部材が弾性を有することによって、音源体支持具を床面に固定することができる。即ち、音源体支持具の床面での位置ずれが生じにくいものとすることができる。【００４５】
また、底部部材が弾性を有することによって、床面側から音源体支持具に伝わる不要な振動を吸収することができる。
【発明の効果】
【００４６】
本発明に係る楽器支持具は、楽器をしっかりと固定しながらも、床面からの影響を受けにくくして、楽器自身が発生する音の響きを充分に発揮できるものとなっている。
また、本発明に係る音源体支持具は、音源体をしっかりと固定しながらも、床面からの影響を受けにくくして、音源体自身が発生する音の響きを充分に発揮できるものとなっている。
【図面の簡単な説明】
【００４７】
【図１】本発明を適用した楽器支持具の一例を示す概略斜視図である。
【図２】上板材の他端側の構造を示す概略側面図（ａ）、荷重受け材の孔の位置を示す概略平面図（ｂ）及び本体部分の動きを示した概略平面図（ｃ）である。
【図３】下板材の滑り止め部を示した概略図（ａ）及び荷重受け材の滑り止め部を示した概略図（ｂ）である。
【図４】楽器支持具を横からみた概略側面図である。
【図５】響き調節具の周辺構造及び動きを示す概略斜視図である。
【図６】凹部にエンドピンを固定した場合を示す概略図（ａ）、二重孔を示す概略図（ｂ）、二重孔にエンドピンを固定した場合を示す概略図（ｃ）及び（ｄ）である。
【図７】交換可能なエンドピン受け部材を使用した楽器支持具を示す概略側面図である。
【図８】交換可能なエンドピン受け部材を使用した状態の概略側面図（ａ）及び交換可能なエンドピン受け部材を上からみた平面図（ｂ）である。
【図９】本発明を適用した楽器支持具の他の一例を示す概略斜視図である。
【図１０】楽器支持具の使用状態を示した概略図である。
【図１１】音源体支持具の構造及び使用状態を示した概略図である。
【図１２】従来の楽器支持具の使用状態の概略図（ａ）及び楽器支持具の概略図（ｂ）である。
【発明を実施するための形態】
【００４８】
以下、楽器支持具に関する本発明の実施の形態について図面を参照しながら説明し、本発明の理解に供する。
図１は、本発明を適用した楽器支持具の一例を示す概略斜視図である。図２は、上板材の他端側の構造を示す概略側面図（ａ）、荷重受け材の孔の位置を示す概略平面図（ｂ）及び本体部分の動きを示した概略平面図（ｃ）である。図３は、下板材の滑り止め部を示した概略図（ａ）及び荷重受け材の滑り止め部を示した概略図（ｂ）である。図４は、楽器支持具を横からみた概略側面図である。図５は、響き調節具の周辺構造及び動きを示す概略斜視図である。図６は、凹部にエンドピンを固定した場合を示す概略図（ａ）、二重孔を示す概略図（ｂ）、二重孔にエンドピンを固定した場合を示す概略図（ｃ）及び（ｄ）である。図７は、交換可能なエンドピン受け部材を使用した楽器支持具を示す概略側面図である。図８は、交換可能なエンドピン受け部材を使用した状態の概略側面図（ａ）及び交換可能なエンドピン受け部材を上からみた平面図（ｂ）である。図９は、本発明を適用した楽器支持具の他の一例を示す概略斜視図である。
【００４９】
ここで、図１に示すように、本発明を適用した楽器支持具の一例であるエンドピン支持具１は、下板材２と上板材３と中板材４と荷重受け材５を備えている。
【００５０】
また、下板材２は、楽器の音の振動に共鳴して振動し、音の響きを広げる部分となっている。また、下板材２と上板材３は、２つの中板材４によって一端側が揃う位置で接合され、エンドピン支持具１の本体部分６となっている。２つの中板材４は、下板材２の両端の位置に設けられ、下板材２と上板材３の間に空間が形成されている。
【００５１】
また、上板材３は下板材２よりも長く、上板材３の他端側が突出した形状となっている。また、下板材２、上板材３及び中板材４の短手方向の幅は略同一になるように形成されている。
【００５２】
また、荷重受け材５は、楽器の演奏者が座る椅子の足と当接させエンドピン支持具１を固定するための部分である。荷重受け材５の略中央の領域に、上板材３が荷重受け材５に対して略直交して取り付けられている。また、荷重受け材５と下板材２及び中板材４の間には空間が形成されている。
【００５３】
また、下板材２と上板材３と中板材４及び荷重受け材５は木材で形成されている。
【００５４】
ここで、必ずしも、下板材２と上板材３が２つの中板材４によって一端側が揃う位置で接合される必要はない。但し、見栄えが良くなる点及び突出した部分がなくなり使用時の安全性が向上する点から、下板材２と上板材３は、２つの中板材４によって一端側が揃う位置で接合されることが好ましい。
【００５５】
また、必ずしも、エンドピン支持具１の本体部分６は、下板材２と上板材３が中板材４によって接合されて形成される必要はない。例えば、下板材２と上板材３及び中板材４を一体的に形成された本体部分６にしてもよい。
【００５６】
また、必ずしも、２つの中板材４が下板材２の両端の位置に設けられる必要はない。但し、下板材２と上板材３の間の空間の体積が大きくなり、部材によって音の響きが損なわれにくくなる効果を高めることができる点から、２つの中板材４が下板材２の両端の位置に設けられることが好ましい。
【００５７】
また、必ずしも、下板材２、上板材３及び中板材４の短手方向の幅は略同一になるように形成される必要はない。但し、見栄えが良くなる点及び突出した部分がなくなり使用時の安全性が向上する点から、下板材２、上板材３及び中板材４の短手方向の幅は略同一になるように形成されることが好ましい。
【００５８】
また、必ずしも、上板材３が下板材２よりも長く形成されると共に、荷重受け材５と下板材２及び中板材４の間には空間が形成される必要はない。但し、演奏者が例えば、椅子の前脚同士が床面と略平行した棒部材で繋げられたパイプ椅子の形状の椅子を使用した際に、空間の部分にパイプ椅子の棒部材の部分を嵌めてエンドピン支持具１を使用することが可能となる。よって、上板材３が下板材２よりも長く形成されると共に、荷重受け材５と下板材２及び中板材４の間には空間が形成されることが好ましい。
【００５９】
また、必ずしも、上板材３が荷重受け材５に取付けられる必要はない。例えば、上板材３と荷重受け材５を一体的に形成された構造にしてもよい。
【００６０】
また、必ずしも、上板材３が荷重受け材５の略中央の領域に取付けられる必要はない。但し、エンドピン支持具１を椅子の足に当接させた際に、本体部分６が演奏者から見て真正面に位置することになり、使い勝手が良くなる点から、上板材３が荷重受け材５の略中央の領域に取付けられることが好ましい。
【００６１】
また、必ずしも、下板材２と上板材３と中板材４及び荷重受け材５が木材で形成される必要はない。但し、チェロ等の本体が木材で形成された楽器の音質を変化させにくい点から、下板材２と上板材３と中板材４及び荷重受け材５が木材で形成されることが好ましい。
【００６２】
図１に示すように、下板材２の一端側の底面には、エンドピン支持具１を床面に固定するためのゴム製の滑り止め部材７及び滑り止め部材８が設けられている。エンドピン支持具１は、滑り止め部材７及び滑り止め部材８の部分で床面と接し、床面と下板材２の間には空間が形成されている。なお、滑り止め部材７及び滑り止め部材８は、床面側からの不要な振動を吸収する役割も果たしている。
【００６３】
また、下板材２は、滑り止め部材７及び滑り止め部材８の部分のみで床面と接しており、響きにくい床面側からの影響を受けにくいものとなっている。
【００６４】
また、荷重受け材５の両端の底面には、エンドピン支持具１を床面に固定するためのゴム製の滑り止め部材９が設けられている。エンドピン支持具１は、滑り止め部材９の部分で床面と接し、床面と荷重受け材５の間には空間が形成されている。なお、滑り止め部材９は、床面側からの不要な振動を吸収する役割も果たしている。
【００６５】
また、荷重受け材５は、滑り止め部材９の部分のみで床面と接しており、響きにくい床面側からの影響を受けにくいものとなっている。
【００６６】
また、エンドピン支持具１は、下板材２と上板材３の間に形成された空間の体積を調節する響き調節具１０を有している。また、響き調節具１０は、楽器の音の振動を上板材３側から下板材２側へと伝え、ヴァイオリンの魂柱のような役割を果たしている。響き調節具１０は、下板材２及び上板材３と接しており、下板材２の短手方向の幅と略同一の幅に形成されている。
【００６７】
また、響き調節具１０は、本体部分６の長手方向に移動させる際に掴む部分であるつまみ１１を有している。
【００６８】
また、上板材３の上面にはエンドピンの先端が固定され、エンドピンを挿入するための凹部１２が設けられている。
【００６９】
ここで、必ずしも、響き調節具１０が下板材２の短手方向の幅と略同一の幅に形成される必要はない。但し、上板材３の振動による過剰なしなりを充分に抑えることができる点、本体部分６の突出した部分がなくなり使用時の安全性が向上する点及び下板材２と上板材３の間に形成された空間の体積が調節しやすくなり、音の響きの調整が容易になる点から、響き調節具１０が下板材２の短手方向の幅と略同一の幅に形成されることが好ましい。
【００７０】
また、必ずしも、響き調節具１０がつまみ１１を有する必要はない。但し、響き調節具１０の移動が容易になる点から、響き調節具１０がつまみ１１を有することが好ましい。
【００７１】
また、響き調節具１０を動かす構造として、必ずしもつまみ１１が採用される必要はない。例えば、響き調節具１０の側面に、指先が嵌まる程度の窪みを設けて、響き調節具１０を握りやすくした構造も考えられる。窪みを設けた場合には、全体の構造の中で、飛び出た部分を減らすことができ、エンドピン支持具１の持ち運びを容易にし、安全性を高めることができる。
【００７２】
図２（ａ）に示すように、上板材３の他端側の底面には、２つの棒状突起部１３及び棒状突起部１４が設けられている。また、図２（ｂ）に示すように、荷重受け材５の略中央の領域には、棒状突起部１３が挿入される孔１５と、棒状突起部１４が挿入される複数の孔１６が設けられている。
【００７３】
上板材３は棒状突起部１３及び棒状突起部１４を、荷重受け材５の孔１５及び孔１６に挿入することで取付けられる。また、図２（ｃ）に示すように、棒状突起部１４を挿入する孔１６の位置を変えることで、本体部分６の向きを調節することが可能となっている。なお、図２（ｃ）の矢印Ｘは、本体部分６の移動方向を示したものである。
【００７４】
ここで、上板材３の荷重受け材５への取付けは、棒状突起部と孔を用いた構造に限定されるものではなく、取付けが容易に外れない構造であれば充分である。例えば、上板材３と荷重受け材５の接する部分を接着して形成することもできる。但し、持ち運びが容易になる点から、荷重受け材５の取り外しができる構造とされることが好ましい。
【００７５】
また、必ずしも、本体部分６の向きが調節可能な構造にされる必要はない。但し、演奏者の好みに合わせた角度に調節が可能で、使いやすさが向上する点から、本体部分６の向きが調節可能な構造にされることが好ましい。
【００７６】
また、本体部分６の向きの調節のための構造は、棒状突起部と複数の孔によるものに限定されるものではない。例えば、複数の孔１６の代わりに、棒状突起部１４が嵌合する溝を形成し、溝の任意の位置に棒状突起部１４をスライドさせ、別途、固定具を用いて挟持して固定する構造なども考えられる。
【００７７】
図３（ａ）に示すように、下板材２の一端側の底面には、ゴム製の滑り止め部材７及び滑り止め部材８が設けられている。滑り止め部材７及び滑り止め部材８は床面と接する部分であり、エンドピン支持具１を床面で滑りにくいものとしている。また、下板材２は、滑り止め部材７及び滑り止め部材８を有することで床面との間に空間が形成されている。
【００７８】
また、滑り止め部材７は床面から見た断面が略円形状のものが２つ用いられている。また、滑り止め部材８は床面から見た断面が両端に丸みを帯びた略長方形状のものが１つ用いられ、滑り止め部材７とやや間隔を空けて設けられている。
【００７９】
また、図３（ｂ）に示すように、荷重受け材５の両端の底面には、ゴム製の滑り止め部材９が設けられている。滑り止め部材９は床面と接する部分であり、エンドピン支持具１を床面で滑りにくいものとしている。また、荷重受け材５は、滑り止め部材９を有することで床面との間に空間が形成されている。
【００８０】
また、滑り止め部材９は床面から見た断面が両端に丸みを帯びた略長方形状のものが用いられている。
【００８１】
ここで、必ずしも、下板材２の一端側の底面に２種類の滑り止め部材７及び滑り止め部材８が設けられる必要はない。エンドピン支持具１を固定できれば充分であり、滑り止め部材は１か所に設けられるものであってもよい。但し、エンドピン支持具１の固定力が向上する点から、下板材２の一端側の底面に２種類の滑り止め部材７及び滑り止め部材８が設けられることが好ましい。
【００８２】
また、滑り止め部材７、滑り止め部材８及び滑り止め部材９の形状と大きさは特に限定されるものではない。例えば、滑り止め部材と床面との設置面積を最小限にできる形状としては、床面側が尖鋭かつ平坦に形成された略円錐状の滑り止め部材が採用しうる。これにより、床面からの影響を減らし、楽器が発する音の響きを充分に発揮することが可能となる。
【００８３】
一方で固定力を重視する場合には、滑り止め部材を設ける位置を増やすことも考えられる。例えば、下板材２の他端側の底面に滑り止め部材を設けることで、エンドピン支持具１を床面でより一層滑りにくいものにすることもできる。
【００８４】
図４に示すように、エンドピン支持具１では、下板材２が滑り止め部材７及び滑り止め部材８を介して床面に設置されている。また、荷重受け部材５が滑り止め部材９を介して床面に設置されている。下板材２の滑り止め部材７及び滑り止め部材８以外の部分では、床面との間に空間が形成されている。また、荷重受け材５の滑り止め部材９以外の部分では、床面との間に空間が形成されている。
【００８５】
また、荷重受け部材５の上板材３と接する上面部分は、先端方向に向けて傾斜した形状となっている。これにより、下板材２と床面との間に充分な空間が形成される。また、上板材３を荷重受け部材５の上面でしっかりと支持できる構造となっている。
【００８６】
ここで、必ずしも、荷重受け部材５の上板材３と接する上面部分は、先端方向に向けて傾斜した形状とされる必要はない。但し、下板材２と床面との間に充分な空間が形成される点及び、上板材３を荷重受け部材５の上面でしっかりと支持し、エンドピン支持具１にかかる荷重を受け止めることができる点から、荷重受け部材５の上板材３と接する上面部分は、先端方向に向けて傾斜した形状とされることが好ましい。
【００８７】
図５に示すように、エンドピン支持具１は、下板材２と上板材３の間に形成された空間の体積を調節する響き調節具１０を有している。また、下板材２の響き調節具１０と接する側にスライド溝１７が形成され、ガイド部材１８を介して響き調節具１０はスライド溝１７を移動可能なものとなっている。
【００８８】
また、ガイド部材１８は、響き調節具１０の底部に接合されている。なお、図５に示す矢印Ｙは、響き調節具１０の移動方向を示すものである。
【００８９】
ここで、必ずしも、スライド溝１７及びガイド部材１８が設けられる必要はない。但し、響き調節具１０による音の響きの調節が容易になる点及び響き調節具１０が下板材２と宇和板材３の間から外れにくくなる点から、スライド溝１７及びガイド部材１８が設けられることが好ましい。
【００９０】
図６（ａ）には、上板材３の上面に設けられたエンドピンを挿入するための凹部１２の構造を示している。エンドピン１９の様に先端が尖った形状のエンドピンであれば、凹部１２はエンドピン１９の大きさに対応させて形成し、凹部１２の底面にエンドピン１９の先端を突き刺して固定することができる。
【００９１】
また、上板材３の上面に設けられる凹部の別の形状として、図６（ｂ）に示すような二重孔２０も考えられる。二重孔２０は、上板材３の上面に対して、二段階の深さを有する孔である。
【００９２】
例えば、図６（ｃ）に示すような、エンドピン２３では、二重孔２０の深い孔の部分に丸い先端２２が引っ掛かり固定されることになる。また、エンドピン２３のフランジ２１は、二重孔２０の浅い孔にも引っ掛かることになる。
【００９３】
また、図６（ｄ）に示すように、先端が尖った形状のエンドピン１９では、二重孔２０の浅い孔の部分に先端が刺さり、エンドピン１９が固定されることとなる。このように二重孔２０を上板材３に設けて、各形状のエンドピンを充分に固定することが可能となる。
【００９４】
図７に示すように、エンドピン支持具１におけるエンドピンを挿入するための構造として、交換可能なエンドピン受け部材３７を採用することもできる。エンドピン受け部材３７は、エンドピンの先端を固定するための二重孔３８が複数設けられている。
【００９５】
また、図８（ａ）に示すように、エンドピン受け部材３が嵌合可能な形状の凹部３９が上板材３に設けられている。なお、図８（ｂ）はエンドピン受け部材３７の平面図であり、使用者の希望に応じて、複数の二重孔３８を形成できるものとなっている。
【００９６】
エンドピン受け部材３７及び凹部３９の構造を採用することで、二重孔３８の度重なる使用による形状の変化や損傷が生じた場合にも、エンドピン受け部材３７を交換するだけで、エンドピン支持具１を継続的な使用が可能となる。また、楽器やエンドピンの種類に応じた専用の孔を容易に設けることができ、汎用性の高い楽器支持具とすることが可能となる。
【００９７】
図９には、エンドピン支持具１の本体部分６の他の実施形態を示す。
【００９８】
図９に示すように、エンドピン支持具１の本体部分６の両側面に側板部材２４が設けられている。側板部材２４は、下板材２と上板材３の間に形成された空間を覆っており、一部の領域には響き調節具１０のつまみ１１が移動可能な側板溝部２５が設けられている。
【００９９】
側板部材２４に楽器の音の振動が伝わることで、側板部材２４が共鳴し、音の響きを増幅させることができる。また、下板材２、上板材３及び中板材４と接して設けられており、本体部分６の強度を向上させている。
【０１００】
ここで、必ずしも、本体部分６の両側面に側板部材２４が設けられる必要はない。但し、前述したように、音の響きを増幅させることができる点及び本体部分６の強度を向上させることができる点から、本体部分６の両側面に側板部材２４が設けられることが好ましい。
【０１０１】
以下、本発明を適用した楽器支持具の使用形態について図面を参照しながら説明し、本発明の理解に供する。
図１０は、楽器支持具の使用状態を示した概略図である。
【０１０２】
図１０に示すように、チェロ等のエンドピン２６を有する楽器２７の演奏者は、椅子に座って楽器の演奏を行う。
【０１０３】
まず、エンドピン支持具１の荷重受け材５を椅子の後側から椅子の足２８に当接させる。このとき、図１０に示すような形状の椅子であれば、椅子の足２８同士の間に本体部分６が位置するようにエンドピン支持具１を配置する。
【０１０４】
次に、本体部分６の上板材３の凹部１２にエンドピン２６を挿入し、上板材３に突き刺してエンドピンを固定する。エンドピン２６を固定する位置は、演奏者が好む任意の位置でよく、演奏がしやすく、かつ、楽器を充分に支持できる位置を選択することができる。
【０１０５】
また、エンドピン２６が演奏者から見て前方の斜め下方に傾く状態となるため、エンドピン支持具１には、床面上で前方にずれようとする荷重の力がかかる。ここで、椅子の足２８に荷重受け材５が引っ掛けられているため、エンドピン支持具１を滑りにくいものとすることができる。
【０１０６】
また、図示されていないが、下板材２及び荷重受け材５の底面にはゴム製の滑り止め部７、滑り止め部材８及び滑り止め部材９が設けられているため、エンドピン支持具１は床面で滑りにくく、位置がずれにくいものとなっている。
【０１０７】
続いて、音の振動が伝えられる流れについて説明する。まず、楽器から発せられた音の振動は、エンドピン２６を通して上板材３に伝えられる。次に、上板材３から中板材４及び響き調節具１０を介して、下板材２に音の振動が伝えられる。このときに、下板材２と上板材３の間に空間が形成されていることから、音の響きが損なわれにくいものとなっている。また、下板材２が床面と極力接触しないことで、楽器自体の振動が床面に拘束されにくくなる。
【０１０８】
また、演奏者は、響き調節具１０の位置を変更することで、エンドピン支持具１を介して発生する音の響きを調節することができる。気持ちよく演奏するためには、演奏者自身が感じる音の響きも重要となる。
【０１０９】
また、上板材３の荷重受け材５に対する取付け位置を変えることで、演奏者は自分の好みに合わせて本体部分６の向きを調節することができる。
【０１１０】
また、本発明を適用したエンドピン支持具１は、使用可能な楽器が特に限定されるものではない。チェロをはじめ、コントラバス、コントラファゴット、バスクラリネットなど、エンドピンで支持する楽器であれば、用いることができるものとなっている。
【０１１１】
このように、本発明を適用した楽器支持具は楽器をしっかりと固定しながらも、床面からの影響を受けにくく、楽器自身が発生する音の響きを充分に発揮できるものとなっている。
【０１１２】
続いて、以下、音源体支持具に関する本発明の実施の形態について図面を参照しながら説明し、本発明の理解に供する。
図１１は、音源体支持具の構造及び使用状態を示した概略図である。
【０１１３】
ここで、図１１に示すように、本発明を適用した音源体支持具の一例であるスピーカー支持具２９は、下板材３０と上板材３１と中板材３２を備えている。
【０１１４】
また、下板材３０は、スピーカー３３の音に共鳴して振動し、音の響きを広げる部分となっている。また、下板材３０と上板材３１は、両端に設けられた２つの中板材３２によって接合され、下板材３０と上板材３１の間には空間が形成されている。また、スピーカー支持具２９は、正面から見て左右に長い、略直方体状の形状となっている。
【０１１５】
また、上板材３１の上面には、支持部品４０が設けられており、支持部品４０の上にスピーカー３３等の音源体を載置することができる。また、支持部品４０は、音源体が載置される上側が尖鋭な略円錐形に形成されている。
【０１１６】
また、下板材３０、上板材３１及び中板材３２の短手方向の幅は略同一になるように形成されている。また、下板材３０と上板材３１及び中板材３２は木材で形成されている。
【０１１７】
ここで、必ずしも、スピーカー支持具２９は、下板材３０と上板材３１が中板材３２によって接合されて形成される必要はない。例えば、下板材３０と上板材３１及び中板材３２を一体的に形成された構造にしてもよい。
【０１１８】
また、必ずしも、２つの中板材３２が下板材３０及び上板材３１の両端の位置に設けられる必要はない。但し、下板材３０と上板材３１の間の空間の体積が大きくなり、部材によって音の響きが損なわれない効果を高めることができる点から、２つの中板材３２が下板材３０及び上板材３１の両端の位置に設けられることが好ましい。
【０１１９】
また、上板材３１の上面は所望の音源体が載置可能に形成されていれば充分であり、形状が特に限定されるものではない。
【０１２０】
また、必ずしも、スピーカー支持具２９は略直方体の形状となっている必要はない。載置する音源体の大きさに対応させた形状とすることができる。
【０１２１】
また、必ずしも、下板材３０、上板材３１及び中板材３２の短手方向の幅は略同一になるように形成される必要はない。但し、スピーカー支持具２９の形状の凹凸部分が減り安全性が向上する点及び見栄えが良くなる点から、下板材３０、上板材３１及び中板材３２の短手方向の幅は略同一になるように形成されることが好ましい。
【０１２２】
また、必ずしも、下板材３０と上板材３１及び中板材３２が木材で形成される必要はない。但し、金属等の素材で形成する場合に比べて、スピーカー等から生じる音の音質を変化させにくい点から、下板材３０上板材３１及び中板材３２が木材で形成されることが好ましい。
【０１２３】
また、必ずしも、上板材３１に支持部品４０が設けられる必要はなく、上板材３１は音源体が載置可能なものとなっていれば充分である。但し、上板材３１と音源体との設置面積を減らし、音源体本来の音の響きを損ないにくいものとできる点から、上板材３１に支持部品４０が設けられることが好ましい。
【０１２４】
また、支持部品４０の大きさや形状は特に限定されるものではない。但し、上板材３１と音源体の設置面積を減らし、音の響きを損ないにくくできる点、及び、上板材３１の上にしっかりと音源体を載置できる点から、支持部品４０が、音源体が載置される上側が尖鋭な略円錐形に形成されることが好ましい。
【０１２５】
また、支持部品４０を設置する数は、載置される音源体の構造に応じて変えることができる。
【０１２６】
また、スピーカー支持具は、スピーカーの構造に合わせて形成することもできる。例えば、分離したスピーカー、操作本体部を別々に載置することができる大きさにすることも考えられる。
【０１２７】
図１１に示すように、下板材３０の両端側の底面には、スピーカー支持具２９を床面に固定するためのゴム製の滑り止め部材３４が設けられている。スピーカー支持具２９は、滑り止め部材３４の部分で床面と接し、床面と下板材３０の間には空間が形成されている。なお滑り止め部材３４は、床面側からの不要な振動を吸収する役割も果たしている。
【０１２８】
また、滑り止め部材３４は、床面側が尖鋭かつ平坦に形成された略円錐状に形成されている。
【０１２９】
また、スピーカー支持具２９は、下板材３０と上板材３１の間に形成された空間の体積を調節する響き調節具３５を有している。また、響き調節具３５は、スピーカーの音の振動を上板材３１側から下板材３０側へと伝える。響き調節具３５は、下板材３０及び上板材３１と接しており、下板材３０の短手方向の幅と略同一の幅に形成されている。
【０１３０】
また、響き調節具３５は、響き調節具３５を移動させる際に掴む部分であるつまみ３６を有している。
【０１３１】
ここで、必ずしも、滑り止め部材３４が、床面側が尖鋭かつ平坦に形成された略円錐状に形成される必要はない。但し、スピーカー支持具２９の床面との設置面積が小さくなり、床面からの影響を受けにくくなる点から、滑り止め部材３４が、床面側が尖鋭かつ平坦に形成された略円錐状に形成されることが好ましい。
【０１３２】
また、必ずしも、響き調節具３５が下板材３０の短手方向の幅と略同一の幅に形成される必要はない。但し、上板材３１の振動によるしなりを充分に抑えることができる点、スピーカー支持具２９の凹凸が減り安全性が向上する点及び下板材３０と上板材３１の間に形成された空間の体積が調節しやすくなり、音の響きの調整が容易になる点から、響き調節具３５が下板材３０の短手方向の幅と略同一の幅に形成されることが好ましい。
【０１３３】
また、下板材３０及び上板材３１の長手方向の長さが短く形成された場合には、上板材３１の振動によるしなりは生じず、安定した構造とすることができる。
【０１３４】
また、必ずしも、響き調節具３５がつまみ３６を有する必要はない。但し、響き調節具３５の移動が容易になる点から、響き調節具３５がつまみ３６を有することが好ましい。
【０１３５】
以下、本発明を適用した音源体支持具の使用形態について説明する。
【０１３６】
図１１に示すように、スピーカー３３等の音源体をスピーカー支持具２９の上に載置する。
【０１３７】
スピーカー３３から発せられた音の振動は、上板材３１に伝えられる。次に、上板材３１から中板材３２及び響き調節具３５を介して、下板材３０に音の振動が伝えられる。このときに、下板材３０と上板材３１の間に空間が形成されていることから、音の響きが損なわれにくいものとなっている。また、下板材３０が床面と極力接触しないことで、スピーカー自体の振動が床面に拘束されにくくなる。
【０１３８】
また、響き調節具３５の位置を変更することで、スピーカー支持具２９を介して発生する音の響きを調節することができる。
【０１３９】
このように、本発明を適用した音源体支持具は音源体をしっかりと固定しながらも、床面からの影響を受けにくく、音源体自身が発生する音の響きを充分に発揮できるものとなっている。
【０１４０】
以上のように、本発明を適用した楽器支持具は楽器をしっかりと固定しながらも、床面からの影響を受けにくく、楽器自身が発生する音の響きを充分に発揮できるものとなっている。
また、本発明を適用した音源体支持具は音源体をしっかりと固定しながらも、床面からの影響を受けにくく、音源体自身が発生する音の響きを充分に発揮できるものとなっている。
【符号の説明】
【０１４１】
１      エンドピン支持具
２      下板材
３      上板材
４      中板材
５      荷重受け材
６      本体部分
７      滑り止め部材
８      滑り止め部材
９      滑り止め部材
１０      響き調節具
１１      つまみ
１２      凹部
１３      棒状突起部
１４      棒状突起部
１５      孔
１６      複数の孔
１７      スライド溝
１８      ガイド部材
１９      エンドピン
２０      二重孔
２１      フランジ
２２      丸い先端
２３      エンドピン
２４      側板部材
２５      側板溝部
２６      エンドピン
２７      楽器
２８      椅子の足
２９      スピーカー支持具
３０      下板材
３１      上板材
３２      中板材
３３      スピーカー
３４      滑り止め部
３５      響き調節具
３６      つまみ
３７      エンドピン受け部材
３８      二重孔
３９      凹部
４０      支持部品
矢印Ｘ      本体部分の移動方向
矢印Ｙ      響き調節具の移動方向
【要約】本発明を適用した楽器支持具の一例であるエンドピン支持具１は、下板材２と上板材３と中板材４と荷重受け材５を備えている。また、下板材２は、楽器の音に共鳴して振動し、音の響きを広げる部分となっている。また、下板材２と上板材３は、２つの中板材４によって一端側が揃う位置で接合され、エンドピンを支持した際の荷重を受ける本体部分６となっている。２つの中板材４は、下板材２の両端の位置に設けられ、下板材２と上板材３の間に空間が形成されている。【図１】
0005737700.tif 000002
【図２】
0005737700.tif 000003
【図３】
0005737700.tif 000004
【図４】
0005737700.tif 000005
【図５】
0005737700.tif 000006
【図６】
0005737700.tif 000007
【図７】
0005737700.tif 000008
【図８】
0005737700.tif 000009
【図９】
0005737700.tif 000010
【図１０】
0005737700.tif 000011
【図１１】
0005737700.tif 000012
【図１２】
0005737700.tif 000013